【事件の表示】
　特願２０１６−５０５４５９「多重織物を利用する印刷用ブランケット」拒絶査定不服審判事件〔平成２６年１０月　２日国際公開、ＷＯ２０１４／１５８３２３、平成２８年　６月　２日国内公表、特表２０１６−５１５９６１〕について、次のとおり審決する。
【結　論】
　本件審判の請求は、成り立たない。
【理　由】
第１　手続の経緯
　本願は、２０１４年（平成２６年）１月２１日（パリ条約による優先権主張外国庁受理２０１３年３月２５日、米国）を国際出願日とする出願であって、平成２８年１月１３日付け、平成２９年１月２０日付けで手続補正がなされ、同年４月２８日付けで拒絶査定がなされ、これに対し、同年７月２０日付けで拒絶査定に対する不服審判請求がなされると同時に手続補正がなされたものである。
第２　平成２９年７月２０日付けの手続補正書による補正（以下「本件補正」という。）後の本願の発明
　本件補正により、特許請求の範囲の請求項１に係る発明（以下「本願発明」という。）は、
「印刷面と基礎とを備える印刷用ブランケットであって、
　前記基礎は、少なくとも１つの多重織物と、少なくとも１つの付加的な一重織物層とを備え、
　各多重織物は、少なくとも、第１の織物プライと隣接する第２の織物プライとを備え、
　各織物プライは、縦糸方向における縦糸のセットと、前記縦糸と織り交ぜられる、前記縦糸方向に垂直な横糸方向における横糸のセットとから構成され、
　各織物プライの前記縦糸と前記横糸は織り交ぜられ、クロスポイントで交差しており、
　前記第１及び第２の織物プライは、前記多重織物内の前記第１及び第２の織物プライ間で縦糸と横糸との点のような織り合わせによって形成されるステッチングポイントを通じて一体化され、
　前記ステッチングポイントは、ライザーステッチ、シンカーステッチ、及びライザーステッチとシンカーステッチとの組み合わせ、からなる群の中から選択されるステッチにより形成され、
　前記ライザーステッチは、前記第２の織物プライから前記第１の織物プライに持ち上げられ、前記第１の織物プライの単一の横糸に引っ掛けられ、前記第２の織物プライに戻る縦糸によって形成され、
　前記シンカーステッチは、前記第１の織物プライから前記第２の織物プライに下げられ、前記第２の織物プライにおける単一の横糸に引っ掛けられ、前記第１の織物プライに戻る縦糸により形成され、
　前記第１の織物プライの前記縦糸及び前記横糸は、前記ステッチングポイントにおける前記隣接する第２の織物プライとのみ相互作用し、
　前記多重織物の大部分において、前記縦糸はそれぞれの織物プライにとどまり、同じ織物プライの中で前記横糸と織り合わされる、印刷用ブランケット。」
と補正された。
　本件補正は、補正前の特許請求の範囲に記載の請求項１乃至請求項８を削除すると共に、請求項９乃至請求項１５を、それぞれ、請求項１乃至請求項７に繰り上げたものであって、特許法第１７条の２第５項第１号の請求項の削除を目的とするものに該当する。
　また、本件補正は、特許法第１７条の２第３項、第４項の規定に適合する。
第３　引用刊行物　
　本願の優先日前の平成６年１０月２５日に頒布された特開平６−２９７８７７号公報（以下「刊行物」という。）には、以下の事項が記載されている。
１．「【特許請求の範囲】
【請求項１】
ゴム表層と、これに補強層を加えて積層構成された印刷用ゴムブランケットにおいて、ゴム補強用基布原糸として高張力化学繊維を１０cm〜３０cm程度に切断した長繊維綿と、５cm程度までの任意短繊維綿との混紡糸、または交撚糸を用いて積層構成することを特徴とするソリッドタイプ印刷用ゴムブランケット
【請求項２】
「請求項１」により構成されたソリッドタイプ印刷用ゴムブランケット
を基礎体とし、これに圧縮層構成材としてイ）たて・よこ接結多重組織の接結たて糸を任意角に構成した基布
を付加積層することを特徴とする圧縮性タイプ印刷用ゴムブランケット
２．「【０００１】
【産業上の利用分野】この発明は
印刷用ゴムブランケット（以下ブランケットと記す）
３．「【０００３】
【発明が解決しようとする課題】ソリッドタイプ、圧縮性タイプの何れのブランケットにおいても、機械運転に伴う負荷により長さが伸び、あるいは厚さを減ずる等の寸法変化が避けられず、かつ印圧に対する緩衝・復元性も劣化して連続運転が不能となり、一時作業を中断してブランケットを締め直し、あるいは下敷きパッキングを挿入する等により長さや厚さの補整を必要とするに到った。その他、ソリッドタイプブランケットにおいては印圧に伴うバルジ現象により、印刷の鮮明さを損なう恐れをも有していた。また、バルジ発生を防ぐためスポンジ層を付加積層した圧縮性タイプブランケットにおいても、十分な印圧を与え鮮明な印刷を得るためには、用い得るスポンジ層の厚さは０．５mm程度以下と制約され、過度の厚さになると「のれんに腕押し」となって必要な印圧を得られず、かつ、回転に伴う負荷でブランケット表面の動的安定を欠いて印刷の鮮明を損なう等により、圧縮性能も限定される難点があった。また、これら問題点を解決するため化学繊維（主としてフィラメントヤーン）採用の試みが重ねられて来た事も周知されているが、積層接着性や柔軟性に欠け含気性も劣る等、結果的には得る所よりも失う所が大きく、実用化には到っていないのが現状である。本発明は、以上の課題を解決するため新しくその発生要因を解明して、これに対応する新規技術を開発。これにより、ブランケットの寸法変化や緩衝・復元性劣化等を防ぎ、かつ、新しく優れた圧縮機能をも加重し得て、ここに発明を完成するに到った。」
４．「【００１５】第１実施例。本発明の基礎体となるもので「請求項１」
ソリッドタイプブランケット用主基布として用いる
ゴム表層（１）の下に、
ゴム接着層（３）主基布（４）を順次積層構成する
主基布（４）には、
人工長繊維綿と任意短繊維綿との混紡糸、または交撚糸を用いる
【００１６】第２実施例。「請求項２」イ）
圧縮性ブランケットの圧縮層（Ｐ）の構成素材となるもので
たて・よこ接結二重平織組織を用いる
複式接結法
これをソリッドタイプブランケットに付加積層して、圧縮性ブランケットを構成する
５．上記１．【請求項１】、４．【００１５】、図１、及び図２より、
ゴム補強用基布原糸として高張力化学繊維を１０cm〜３０cm程度に切断した長繊維綿と、５cm程度までの任意短繊維綿との混紡糸、または交撚糸を用いて積層構成した一重織物層
６．上記１．【請求項２】、４．【００１６】、及び図４Ｄより、
第１の織物プライと隣接する第２の織物プライとを備えた多重織物において、各織物プライは、たて糸方向におけるたて糸，及び接結たて糸と、前記たて糸と織り交ぜられる、前記たて糸方向に垂直なよこ糸方向におけるよこ糸とから構成され、各織物プライの前記たて糸，及び前記接結たて糸と前記よこ糸は織り交ぜられ、一点で交差しており、前記第１及び第２の織物プライは、前記多重織物内の前記第１及び第２の織物プライ間で接結たて糸とよこ糸とが一点で織り合わせによって一体化され、前記一点での前記接結たて糸とよこ糸との織り合わせは、ライザーステッチとシンカーステッチとの組み合わせにより形成され、前記ライザーステッチは、前記第２の織物プライから前記第１の織物プライに持ち上げられ、前記第１の織物プライの単一のよこ糸に引っ掛けられ、前記第２の織物プライに戻る接結たて糸によって形成され、前記シンカーステッチは、前記第１の織物プライから前記第２の織物プライに下げられ、前記第２の織物プライにおける単一のよこ糸に引っ掛けられ、前記第１の織物プライに戻る接結たて糸により形成され、前記第１の織物プライの前記たて糸及び前記よこ糸は、前記一点における前記隣接する第２の織物プライとのみ相互作用する、多重織物
　上記記載事項１．乃至６．から、刊行物には次の発明が記載されていると認められる。（以下、「引用発明」という。）
「ゴム表層と、これに補強層を加えて積層構成された印刷用ゴムブランケットにおいて、ゴム補強用基布原糸として高張力化学繊維を１０cm〜３０cm程度に切断した長繊維綿と、５cm程度までの任意短繊維綿との混紡糸、または交撚糸を用いて積層構成した一重織物層により構成されたソリッドタイプ印刷用ゴムブランケットを基礎体とし、これに圧縮層構成材として、第１の織物プライと隣接する第２の織物プライとを備えた多重織物において、各織物プライは、たて糸方向におけるたて糸，及び接結たて糸と、前記たて糸と織り交ぜられる、前記たて糸方向に垂直なよこ糸方向におけるよこ糸とから構成され、各織物プライの前記たて糸，及び前記接結たて糸と前記よこ糸は織り交ぜられ、一点で交差しており、前記第１及び第２の織物プライは、前記多重織物内の前記第１及び第２の織物プライ間で接結たて糸とよこ糸とが一点で織り合わせによって一体化され、前記一点での前記接結たて糸とよこ糸との織り合わせは、ライザーステッチとシンカーステッチとの組み合わせにより形成され、前記ライザーステッチは、前記第２の織物プライから前記第１の織物プライに持ち上げられ、前記第１の織物プライの単一のよこ糸に引っ掛けられ、前記第２の織物プライに戻る接結たて糸によって形成され、前記シンカーステッチは、前記第１の織物プライから前記第２の織物プライに下げられ、前記第２の織物プライにおける単一のよこ糸に引っ掛けられ、前記第１の織物プライに戻る接結たて糸により形成され、前記第１の織物プライの前記たて糸及び前記よこ糸は、前記一点における前記隣接する第２の織物プライとのみ相互作用する、多重織物を付加積層した圧縮性タイプ印刷用ゴムブランケット。」
第４　対比
　そこで、本願発明と引用発明とを対比する。
１．後者の「圧縮性タイプ印刷用ゴムブランケット」、及び「第１の織物プライと隣接する第２の織物プライとを備えた多重織物」は、前者の「印刷用ブランケット」、及び「少なくとも１つの多重織物」に相当する。
２．後者の「ゴム表層」は、「圧縮性タイプ印刷用ゴムブランケット」の表層であるから、「印刷面」を有するのは明らかである。
３．後者の「一重織物層」は、「圧縮性タイプ印刷用ゴムブランケット」の「基礎体」を構成するものであるから、「少なくとも１つの付加的な一重織物層」といえる。そうすると、後者の「第１の織物プライと隣接する第２の織物プライとを備えた多重織物」、及び「一重織物層」とは、前者の「基礎」に相当する。
４．後者の「第１の織物プライと隣接する第２の織物プライとを備え」は、前者の「第１の織物プライと隣接する第２の織物プライとを備え」に相当する。
５．後者の「『たて糸』、『接結たて糸』」、及び「よこ糸」は、それぞれ、前者の「縦糸」、及び「横糸」に相当する。そして、後者の「たて糸」、「接結たて糸」、及び「よこ糸」はいずれも、複数の「糸」からなることが明らかであって、「セット」といえるから、後者の「各織物プライは、たて糸方向におけるたて糸，及び接結たて糸と、前記たて糸と織り交ぜられる、前記たて糸方向に垂直なよこ糸方向におけるよこ糸とから構成され」は、前者の「各織物プライは、縦糸方向における縦糸のセットと、前記縦糸と織り交ぜられる、前記縦糸方向に垂直な横糸方向における横糸のセットとから構成され」に相当する。
６．後者の「各織物プライの前記たて糸，及び前記接結たて糸と前記よこ糸は織り交ぜられ、一点で交差して」いて、特定の点（ポイント）で交差しているといえるから、後者の「各織物プライの前記たて糸，及び前記接結たて糸と前記よこ糸は織り交ぜられ、一点で交差しており」は、前者の「各織物プライの前記縦糸と前記横糸は織り交ぜられ、クロスポイントで交差しており」に相当する。
７．後者の「第１及び第２の織物プライ」は、「多重織物内の前記第１及び第２の織物プライ間で接結たて糸とよこ糸とが一点で織り合わせによって一体化され」ていて、特定の点（ポイント）で織り合わせによって一体化しているといえるから、後者の「前記第１及び第２の織物プライは、前記多重織物内の前記第１及び第２の織物プライ間で接結たて糸とよこ糸とが一点で織り合わせによって一体化され」は、前者の「前記第１及び第２の織物プライは、前記多重織物内の前記第１及び第２の織物プライ間で縦糸と横糸との点のような織り合わせによって形成されるステッチングポイントを通じて一体化され」に相当する。
８．後者の「一点での前記接結たて糸とよこ糸との織り合わせは、ライザーステッチとシンカーステッチとの組み合わせにより形成され」は、前者の「ステッチングポイントは、ライザーステッチ、シンカーステッチ、及びライザーステッチとシンカーステッチとの組み合わせ、からなる群の中から選択されるステッチにより形成され」に包含される。
９．後者の「ライザーステッチ」は、「前記第２の織物プライから前記第１の織物プライに持ち上げられ、前記第１の織物プライの単一のよこ糸に引っ掛けられ、前記第２の織物プライに戻る接結たて糸によって形成され」るものであるから、後者の「前記ライザーステッチは、前記第２の織物プライから前記第１の織物プライに持ち上げられ、前記第１の織物プライの単一のよこ糸に引っ掛けられ、前記第２の織物プライに戻る接結たて糸によって形成され」は、前者の「ライザーステッチは、前記第２の織物プライから前記第１の織物プライに持ち上げられ、前記第１の織物プライの単一の横糸に引っ掛けられ、前記第２の織物プライに戻る縦糸によって形成され」に相当する。
１０．後者の「シンカーステッチ」は、「前記第１の織物プライから前記第２の織物プライに下げられ、前記第２の織物プライにおける単一のよこ糸に引っ掛けられ、前記第１の織物プライに戻る接結たて糸により形成され」るものであるから、後者の「前記シンカーステッチは、前記第１の織物プライから前記第２の織物プライに下げられ、前記第２の織物プライにおける単一のよこ糸に引っ掛けられ、前記第１の織物プライに戻る接結たて糸により形成され」は、前者の「前記シンカーステッチは、前記第１の織物プライから前記第２の織物プライに下げられ、前記第２の織物プライにおける単一の横糸に引っ掛けられ、前記第１の織物プライに戻る縦糸により形成され」に相当する。
１１．後者の「第１の織物プライの前記たて糸及び前記よこ糸」は、「前記一点における前記隣接する第２の織物プライとのみ相互作用」していて、特定の点（ポイント）で相互作用しているといえるから、後者の「前記第１の織物プライの前記たて糸及び前記よこ糸は、前記一点における前記隣接する第２の織物プライとのみ相互作用する」は、前者の「前記第１の織物プライの前記縦糸及び前記横糸は、前記ステッチングポイントにおける前記隣接する第２の織物プライとのみ相互作用し」に相当する。
　したがって、本願発明と引用発明とは、
「印刷面と基礎とを備える印刷用ブランケットであって、
　前記基礎は、少なくとも１つの多重織物と、少なくとも１つの付加的な一重織物層とを備え、
　各多重織物は、少なくとも、第１の織物プライと隣接する第２の織物プライとを備え、
　各織物プライは、縦糸方向における縦糸のセットと、前記縦糸と織り交ぜられる、前記縦糸方向に垂直な横糸方向における横糸のセットとから構成され、
　各織物プライの前記縦糸と前記横糸は織り交ぜられ、クロスポイントで交差しており、
　前記第１及び第２の織物プライは、前記多重織物内の前記第１及び第２の織物プライ間で縦糸と横糸との点のような織り合わせによって形成されるステッチングポイントを通じて一体化され、
　前記ステッチングポイントは、ライザーステッチ、シンカーステッチ、及びライザーステッチとシンカーステッチとの組み合わせ、からなる群の中から選択されるステッチにより形成され、
　前記ライザーステッチは、前記第２の織物プライから前記第１の織物プライに持ち上げられ、前記第１の織物プライの単一の横糸に引っ掛けられ、前記第２の織物プライに戻る縦糸によって形成され、
　前記シンカーステッチは、前記第１の織物プライから前記第２の織物プライに下げられ、前記第２の織物プライにおける単一の横糸に引っ掛けられ、前記第１の織物プライに戻る縦糸により形成され、
　前記第１の織物プライの前記縦糸及び前記横糸は、前記ステッチングポイントにおける前記隣接する第２の織物プライとのみ相互作用する、印刷用ブランケット。」
である点で一致し、以下の点で相違している。
　
［相違点］
　本願発明が、「前記多重織物の大部分において、前記縦糸はそれぞれの織物プライにとどまり、同じ織物プライの中で前記横糸と織り合わされる」ものであるのに対し、引用発明では、そのような事項が特定されていない点。
第５　判断
　上記相違点について、以下に検討する。
　多重織物において、ライザーステッチ、及びシンカーステッチをどの程度用いて他のプライの横糸に引っ掛けるかは、当業者が適宜なし得る設計的事項である。また、本願明細書をみても、本願発明において、「前記多重織物の大部分において、前記縦糸はそれぞれの織物プライにとどまり、同じ織物プライの中で前記横糸と織り合わされる」ものとした点に格別な作用効果は認められない。
　そうすると、引用発明において、上記相違点に係る本願発明の発明特定事項とすることは、当業者が容易に想到し得るものである。
　そして、本願発明の発明特定事項によって奏される効果も、引用発明から、当業者が予測しうる範囲内のものである。
　したがって、引用発明より、本願発明の発明特定事項とすることは、当業者が容易に想到できたことといえる。
第６　むすび
　以上のとおり、本願発明は、引用発明に基いて当業者が容易に発明をすることができたものであるから、特許法第２９条第２項の規定により特許を受けることができない。
　よって、結論のとおり審決する。